(57)【要約】      （修正有）【課題】自立式スタンドを持たない自転車を駐輪することができる、コンパクトな折り畳み式で持ち運びが容易な自転車用携帯駐輪装置を提供する。【解決手段】自転車のサドルを引っ掛けて支持可能な支持棒１１と、支持棒の左右に配置された脚部２０Ａ、２０Ｂと、を備える。左右の脚部は、略Ｖ字形に開閉可能で、かつ支持棒に対して水平な状態まで回動可能、折畳み可能に接続されている。【選択図】図２
0003210378.tif 000002
【実用新案登録請求の範囲】
【請求項１】
自転車のサドルを引っ掛けて支持可能な支持棒と、
前記支持棒の左右に配置された脚部と、
を備え、
左右の前記脚部は、前記支持棒に対して水平な状態まで折畳み可能に接続されていることを特徴とする、自転車用携帯駐輪装置。
【請求項２】
前記支持棒は、長手方向に伸縮可能であることを特徴とする、請求項１に記載の自転車用携帯駐輪装置。
【請求項３】
前記支持棒は、伸縮状態を維持するための伸縮用ダボと、前記伸縮用ダボが係合する伸縮用ダボ孔と、を備え、前記伸縮用ダボ孔は、伸縮方向に行くに従って径が変化する涙滴形であることを特徴とする、請求項２記載の自転車用携帯駐輪装置。
【請求項４】
前記支持棒は、上面が断面円弧状に形成され、下面が断面角形状に形成されていることを特徴とする、請求項１又は２記載の自転車用携帯駐輪装置。
【請求項５】
左右の前記脚部は、前記支持棒に対して回動可能に接続されていることを特徴とする、請求項１〜４のいずれか１項に記載の自転車用携帯駐輪装置。
【請求項６】
左右の前記脚部は、折り畳んだときに前記支持棒からの高さが互いに相違するように、高さの異なる金具によって前記支持棒に接続されていることを特徴とする、請求項１〜５のいずれか１項に記載の自転車用携帯駐輪装置。
【請求項７】
前記脚部は、略Ｖ字形に開くことができる一対の棒状部材を備え、
左右の前記脚部を折り畳んだときに、一方の前記脚部を構成する前記一対の棒状部材が、他方の前記脚部に取り付けられた前記金具によって開かないように保持されることを特徴とする、請求項６記載の自転車用携帯駐輪装置。
【請求項８】
前記金具は、前記支持棒を支持する支持棒支持部と、前記脚部を支持する脚部支持部とを、略Ｌ字形に配置したものであり、折り畳み状態から使用状態へと変形するときに前記支持棒に対して約２７０度回転することを特徴とする、請求項６又は７記載の自転車用携帯駐輪装置。
【請求項９】
前記脚部は、略Ｖ字形に開くことができる一対の棒状部材と、前記一対の棒状部材の間に架設可能な開き防止機構と、を備え、
前記開き防止機構は、前記一対の棒状部材を閉じ状態に維持可能であり、かつ、前記一対の棒状部材を開いた状態に維持可能であることを特徴とする、請求項１〜８のいずれか１項に記載の自転車用携帯駐輪装置。
【請求項１０】
前記一対の棒状部材の間には、前記棒状部材を開いた状態に維持するための止めピンが固定されていることを特徴とする、請求項７〜９のいずれか１項に記載の自転車用携帯駐輪装置。
【考案の詳細な説明】
【技術分野】
【０００１】
この考案は、ロードバイクなどの自立式スタンドを持たない自転車を駐輪することができ、かつ、持ち運びが容易な自転車用携帯駐輪装置に関する。
【背景技術】
【０００２】
特許文献１には、自転車のサドルを架ける横棒を上下にずらした二本とした自転車駐輪スタンドハンガーが開示されている。
【先行技術文献】
【特許文献】
【０００３】
【特許文献１】実用新案登録第３１７７６７４号公報
【考案の概要】
【考案が解決しようとする課題】
【０００４】
しかし、上記した特許文献１記載の構造は、折り畳み式でないため、サイクリング大会などで使用する際に、解体したものを現地で組み立てなければならず、また、使用後に解体して持ち帰らなければならず、使い勝手が悪いという問題があった。
そこで、本考案は、折り畳み式で持ち運びが容易な自転車用携帯駐輪装置を提供することを課題とする。
【課題を解決するための手段】
【０００５】
本考案は、上記した課題を解決するためになされたものであり、以下を特徴とする。
請求項１記載の考案は、自転車のサドルを引っ掛けて支持可能な支持棒と、前記支持棒の左右に配置された脚部と、を備え、左右の前記脚部は、前記支持棒に対して水平な状態まで折畳み可能に接続されていることを特徴とする。
【０００６】
請求項２に記載の考案は、請求項１に記載の考案の特徴点に加え、前記支持棒は、長手方向に伸縮可能であることを特徴とする。
【０００７】
請求項３に記載の考案は、請求項２に記載の考案の特徴点に加え、前記支持棒は、伸縮状態を維持するための伸縮用ダボと、前記伸縮用ダボが係合する伸縮用ダボ孔と、を備え、前記伸縮用ダボ孔は、伸縮方向に行くに従って径が変化する涙滴形であることを特徴とする。
【０００８】
請求項４に記載の考案は、請求項１又は２に記載の考案の特徴点に加え、前記支持棒は、上面が断面円弧状に形成され、下面が断面角形状に形成されていることを特徴とする。
【０００９】
請求項５に記載の考案は、請求項１〜４のいずれかに記載の考案の特徴点に加え、左右の前記脚部は、前記支持棒に対して回動可能に接続されていることを特徴とする。
【００１０】
請求項６に記載の考案は、請求項１〜５のいずれかに記載の考案の特徴点に加え、左右の前記脚部は、折り畳んだときに前記支持棒からの高さが互いに相違するように、高さの異なる金具によって前記支持棒に接続されていることを特徴とする。
【００１１】
請求項７に記載の考案は、請求項６記載の考案の特徴点に加え、前記脚部は、略Ｖ字形に開くことができる一対の棒状部材を備え、左右の前記脚部を折り畳んだときに、一方の前記脚部を構成する前記一対の棒状部材が、他方の前記脚部に取り付けられた前記金具によって開かないように保持されることを特徴とする。
【００１２】
請求項８に記載の考案は、請求項６又は７に記載の考案の特徴点に加え、前記金具は、前記支持棒を支持する支持棒支持部と、前記脚部を支持する脚部支持部とを、略Ｌ字形に配置したものであり、折り畳み状態から使用状態へと変形するときに前記支持棒に対して約２７０度回転することを特徴とする。
【００１３】
請求項９に記載の考案は、請求項１〜８のいずれかに記載の考案の特徴点に加え、前記脚部は、略Ｖ字形に開くことができる一対の棒状部材と、前記一対の棒状部材の間に架設可能な開き防止機構と、を備えた前記開き防止機構は、前記一対の棒状部材を閉じ状態に維持可能であり、かつ、前記一対の棒状部材を開いた状態に維持可能であることを特徴とする。
【００１４】
請求項１０に記載の考案は、請求項７〜９のいずれかに記載の考案の特徴点に加え、前記一対の棒状部材の間には、前記棒状部材を開いた状態に維持するための止めピンが固定されていることを特徴とする。
【考案の効果】
【００１５】
請求項１に記載の考案は上記の通りであり、左右の脚部が支持棒に対して水平な状態まで折畳み可能であるため、コンパクトに折り畳むことができる。よって、持ち運びが容易であり、使い勝手が良い。
【００１６】
また、請求項２に記載の考案は上記の通りであり、支持棒は、長手方向に伸縮可能であるため、自転車の台数に合わせて長さを変更でき、使い勝手が良い。
【００１７】
また、請求項３に記載の考案は上記の通りであり、支持棒が伸縮状態を維持するための伸縮用ダボ孔は、伸縮方向に行くに従って径が変化する涙滴形であるため、支持棒を伸縮させたときに、涙滴形の伸縮用ダボ孔の径の狭い部分から広くなる傾斜部がガイドとなり、伸縮用ダボを穴径の広い位置へ誘導することができる。よって、スムーズに伸縮用ダボを所定の位置へ移動させることができる。また、所定の位置へ移動して伸縮用ダボ孔に係合した伸縮用ダボは、伸縮用ダボ孔の穴径の狭い方向へは移動できないため、伸縮した支持棒のガタツキを抑止することができる。
【００１８】
また、請求項４に記載の考案は上記の通りであり、支持棒の上面が断面円弧状に形成されているので、サドルが引掛けやすく、しかも落下し難くなっている。また、支持棒の下面が断面角形状に形成されているので、支持棒を伸縮可能とした場合でも内棒が回転しないようにロックすることができる。また、支持棒の断面が両断面の組合せにより円筒状ではないので、子どもが鉄棒等の遊具にして遊ぶ危険性を減少させることができる。
【００１９】
また、請求項５に記載の考案は上記の通りであり、左右の脚部が支持棒に対して回動可能に接続されているため、脚部を回動させるだけで組立てや折畳みが１人でも容易にできるため、使い勝手が良い。
【００２０】
また、請求項６に記載の考案は上記の通りであり、左右の脚部は、折り畳んだときに支持棒からの高さが互いに相違するように、高さの異なる金具によって支持棒に接続されている。このような構成によれば、脚部が互い違いに収納されるため、凹凸のない持ち運びしやすい形状に折り畳むことができる。
【００２１】
また、請求項７に記載の考案は上記の通りであり、脚部は、略Ｖ字形に開くことができる一対の棒状部材を備え、左右の脚部を折り畳んだときに、一方の脚部を構成する一対の棒状部材が、他方の脚部に取り付けられた金具によって開かないように保持される。このような構成によれば、脚部を折り畳んだときに、一対の棒状部材を閉じ状態に維持することができる。
【００２２】
また、請求項８に記載の考案は上記の通りであり、金具は、支持棒を支持する支持棒支持部と、脚部を支持する脚部支持部とを、略Ｌ字形に配置したものであり、折り畳み状態から使用状態へと変形するときに支持棒に対して約２７０度回転する。このような構成によれば、シンプルかつ少ない部品点数で変形構造を実現することができる。
【００２３】
また、請求項９に記載の考案は上記の通りであり、一対の棒状部材を閉じ状態に維持可能、かつ、一対の棒状部材を開いた状態に維持可能な開き防止機構を備える。このような構成によれば、折り畳み状態では、運搬時に開かないようにロックできるので、取扱いが容易であり、安全に使用することができる。また、使用状態では、開き過ぎが防止されるので、自転車を安定して支持することができる。
【００２４】
また、請求項１０に記載の考案は上記の通りであり、一対の棒状部材の間には、棒状部材を開いた状態に維持するための止めピンが固定されているため、開いた状態において、一対の棒状部材や金具に対する真上又は斜め方向からの荷重に、より耐えることができる。
【図面の簡単な説明】
【００２５】
【図１】折り畳み状態の自転車用携帯駐輪装置の外観図である。
【図２】使用状態の自転車用携帯駐輪装置の外観図である。
【図３】支持棒に自転車のサドルを引っ掛けた状態を示す図である。
【図４】折り畳み状態の自転車用携帯駐輪装置の正面図である。
【図５】（ａ）図４のＡ−Ａ線断面図、（ｂ）支持棒の変形例を示す図である。
【図６】（ａ）金具の外観図、（ｂ）金具の取り付け方法を示す図である。
【図７】折り畳み状態から使用状態へと変形する様子を示す図であって、（ａ）脚部を開き始めたときの図、（ｂ）脚部を開ききった状態の図である。
【図８】脚部を開ききった自転車用携帯駐輪装置の側面図であって、棒状部材が閉じ状態の図である。
【図９】脚部を開ききった自転車用携帯駐輪装置の側面図であって、棒状部材が開き状態の図である。
【図１０】支持棒を長手方向に伸ばした状態の自転車用携帯駐輪装置の外観図である。
【図１１】変形例１に係る（ａ）金具の外観図、（ｂ）金具の取り付け方法を示す図である。
【図１２】変形例２に係る（ａ）金具の外観図、（ｂ）金具の取り付け方法を示す図である。
【図１３】変形例３に係る（ａ）金具の外観図、（ｂ）金具の取り付け方法を示す図である。
【図１４】変形例４に係る（ａ）金具の外観図、（ｂ）金具の取り付け方法を示す図である。
【図１５】変形例５に係る折り畳み状態の自転車用携帯駐輪装置の正面図である。
【図１６】（ａ）図１５のＢ−Ｂ線断面図、（ｂ）図１５のＣ−Ｃ線断面図を示す図である。
【図１７】開き防止機構の変形例を示す図であって、棒状部材が閉じ状態の図である。
【図１８】開き防止機構の変形例を示す図であって、棒状部材が開き状態の図である。
【考案を実施するための形態】
【００２６】
本考案の実施形態について、図を参照しつつ説明する。
本実施形態に係る自転車用携帯駐輪装置１０は、例えばロードバイクなどの自立式スタンドを持たない自転車を駐輪するためのものであり、携帯可能に折り畳めるようになっている。この自転車用携帯駐輪装置１０は、図１及び図２に示すように、支持棒１１と、左右の脚部２０（右脚部２０Ａ及び左脚部２０Ｂ）と、左右の金具３０（右金具３０Ａ及び左金具３０Ｂ）と、を備えて構成される。
【００２７】
支持棒１１は、図３、図１０に示すように、自転車のサドル４０を引っ掛けて支持可能な棒状の部材である。本実施形態に係る支持棒１１は、右外棒１２と、左外棒１３と、内棒１４と、の３本の柱状部材が組み合わさって構成されており、これにより長手方向に伸縮可能となっている。具体的には、右外棒１２及び左外棒１３の内部に内棒１４が挿通されており、収縮時には図１等に示すように、右外棒１２と左外棒１３とが端部を突き合わせた状態となっている。このとき、右外棒１２及び左外棒１３の内部に内棒１４が収容されており、内棒１４は外部に露出しない。この状態から右外棒１２と左外棒１３とを互いに離れる方向に引っ張ると、図１０に示すように、右外棒１２と左外棒１３との間に内棒１４が露出して、支持棒１１が伸長するようになっている。
【００２８】
なお、支持棒１１の下面１１ｂには、図５（ａ）（ｂ）に示すように、伸縮用ダボ１６が出没可能に設けられている。この伸縮用ダボ１６は、内棒１４に取り付けられており、右外棒１２及び左外棒１３の穴（図示せず）に嵌り込むようになっている。支持棒１１を伸縮させるときには、伸縮用ダボ１６を押し込んで凹ませた状態で、右外棒１２及び左外棒１３を内棒１４に対してスライドさせ、所定の位置で伸縮用ダボ１６を穴に係合させる。このように伸縮用ダボ１６が右外棒１２及び左外棒１３の穴に係合することで、支持棒１１が伸ばした状態または縮んだ状態で維持されるようになっている。
【００２９】
なお、図５（ａ）（ｂ）に示すように、伸縮用ダボ１６を支持棒１１の下面１１ｂに設けるようにすれば、自転車のサドル４０を引っ掛ける際に伸縮用ダボ１６が邪魔にならず、また、伸縮用ダボ１６を自転車のサドル４０に引っ掛けて傷つけることがない。
【００３０】
また、図１６に示すように、伸縮用ダボ１６を支持棒１１の側面１１ｃに設けてもよい。  また、図１５に示すように、伸縮用ダボ１６を受ける伸縮用ダボ孔１７は、支持棒１１を伸縮させる方向に行くに従って径が変化する涙滴形としてもよい。このように形成すれば、支持棒１１を伸縮させたときに、涙滴形の伸縮用ダボ孔１７の径の狭い部分から広くなる傾斜部がガイドとなり、伸縮用ダボ１６を穴径の広い位置へ誘導することができる。よって、スムーズに伸縮用ダボ１６を所定の位置へ移動させることができる。また、所定の位置へ移動して伸縮用ダボ孔１７に係合した伸縮用ダボ１６は、伸縮用ダボ孔１７の穴径の狭い方向へは移動できないため、伸縮させた支持棒１１のガタツキを抑止することができる。
【００３１】
また、この支持棒１１は、図５（ａ）（ｂ）、図１６（ａ）（ｂ）に示すように、上面１１ａが円弧状に形成され、円弧状の上面１１ａから垂下する対の側面１１ｃと、この対の側面１１ｃを連設する下面１１ｂとが平らであるため、側面１１ｃ及び下面１１ｂを含む断面が角形状に形成されている。このため、図３に示すように、円弧状の上面１１ａがサドル４０にフィットして安定的に自転車を保持できるようになっている。また、側面１１ｃ及び下面１１ｂが角形状であるため、伸縮時に内棒１４が右外棒１２及び左外棒１３の内部で回転しない。よって、伸縮用ダボ１６の位置が穴からずれてしまうことが防止される。また、両断面の組合せにより、子供が鉄棒のように遊ぶことができないので、不正使用を防止できる。なお、図５（ｂ）、図１６に示すように、内棒１４は、右外棒１２及び左外棒１３と接触する表面に小円突起１４ａ、１４ｂ、１４ｃを備えても良い。小円突起１４ａ、１４ｂ、１４ｃを設けることにより、右外棒１２及び左外棒１３との接触面積が減り、伸縮時にスムーズに動き、摺動による傷等を減少させる。特に、上面小円突起１４ａ及び側面小円突起１４ｃは、支持棒１１を伸ばした時に視認できる位置にあるため、内棒１４の傷等を減少させることで意匠性を損なわない。また、支持棒１１をよりスムーズに伸縮させるために、内棒１４の上面、側面、底面のいずれかに樹脂等からなる滑り材を取付けても良い。
【００３２】
この支持棒１１の正面には、図１等に示すように、左右にダボピン１５が設けられている。このダボピン１５は、後述する金具３０を使用状態に固定するためのものである。このダボピン１５は、操作部１５ａを押し込み操作することで支持棒１１の表面から出没可能となっている。
【００３３】
脚部２０は、支持棒１１の左右に配置されており、図２に示すように、使用時に支持棒１１を水平に支持するためのものである。左右の脚部２０（右脚部２０Ａ及び左脚部２０Ｂ）は、図４に示すように、それぞれ支持棒１１に対して水平な状態まで折畳み可能に接続されている。具体的には、後述する金具３０によって、支持棒１１に対して回動可能に接続されており、金具３０が回転することで脚部２０も一体的に支持棒１１に対して回動するように構成されている。この脚部２０は、縮んだ状態の支持棒１１とほぼ同じ長さで形成されているため、折り畳んだ状態が凹凸のない四角形状となり、持ち運びがし易い。
【００３４】
この脚部２０は、図２に示すように、略Ｖ字形に開くことができる一対の棒状部材２１と、一対の棒状部材２１の間に架設可能な開き防止機構２２と、を備える。
【００３５】
一対の棒状部材２１は、それぞれ金具３０に対して回動可能に取り付けられている。具体的には、図６（ｂ）、図８、図９に示すように、一方の棒状部材２１は、側面から見て巾方向のほぼ中心位置に設けられた第１支軸２１ａによって金具３０に回動可能に取り付けられており、他方の棒状部材２１は、側面から見て巾方向のほぼ中心位置に設けられた第２支軸２１ｂによって金具３０に回動可能に取り付けられている。第１支軸２１ａ及び第２支軸２１ｂは、例えば図６（ｂ）に示すようなボルト部材である。また、第１支軸２１ａ及び第２支軸２１ｂは、ボルト部材に限らず、リベット止め等にしても良い。また、皿ボルトを使用することで表面の凹凸をなくしても良い。なお、第１支軸２１ａの位置は第２支軸２１ｂの位置よりも高くなっており、これに合わせて、棒状部材２１の一方は棒状部材２１の他方よりも先端位置が高くなっている。このように、一対の棒状部材２１の先端位置を異ならせることで、一対の棒状部材２１を略Ｖ字形に開いたときに所定の角度を保持することができる。また、折り畳んだ状態で一対の棒状部材２１間が隙間なく折り畳めるため、収納及び持ち運び時に手を挟む等を防止できる。なお、図１３（ｂ）及び図１４（ｂ）に示すように、第１支軸２１ａ及び第２支軸２１ｂの先端位置を同じにしてもよく、一対の棒状部材２１間に止めピン２１ｃを設けてもよい。止めピン２１ｃを設けることにより、一対の棒状部材２１が開いた状態において、一対の棒状部材２１と金具３０に対する真上又は斜め方向からの荷重に、より耐えることができる。
【００３６】
開き防止機構２２は、一対の棒状部材２１を所定の角度で開いた状態に維持するためのものである。例えば、図８及び図９に示す開き防止機構２２は、一方の棒状部材２１の側面に突出形成された閉じ用引掛ピン２４及び開き用引掛ピン２５と、他方の棒状部材２１に回動軸を介して回転可能に取り付けられたアーム２３と、を備える。
【００３７】
図８及び図９に示すような実施例において、アーム２３は、一方の端部が回転軸２３ａを介して他方の棒状部材２１に取り付けられており、回転軸２３ａを中心に回転自在となっている。また、アーム２３の他方の端部には、閉じ用引掛ピン２４及び開き用引掛ピン２５に係合可能な引掛溝２３ｂが切欠き形成されている。
【００３８】
閉じ用引掛ピン２４及び開き用引掛ピン２５は、アーム２３の引掛溝２３ｂに係合させるためのものである。閉じ用引掛ピン２４は、図８に示すように、一対の棒状部材２１が閉じ状態となっているときに、アーム２３の引掛溝２３ｂに係合可能な位置に設けられている。言い換えると、一対の棒状部材２１が閉じ状態となっているときに、閉じ用引掛ピン２４がアーム２３の引掛溝２３ｂに係合することで、隙間なく閉じ状態が維持されるようになっている。また、開き用引掛ピン２５は、図９に示すように、一対の棒状部材２１が開き状態となっているときに、アーム２３の引掛溝２３ｂに係合可能な位置に設けられている。言い換えると、一対の棒状部材２１が開き状態となっているときに、開き用引掛ピン２５がアーム２３の引掛溝２３ｂに係合することで、開き状態で所定の角度を維持できるようになっている。なお、開き防止機構２２は、図８及び図９に示す実施例に限らず、例えば、図１７及び図１８のように、中折れアーム型のものとしてもよい。具体的には、アーム２３の中心に回転軸が設けられ、アーム２３の両方の端部が回転軸を介して一対の棒状部材２１に取り付けられており、図１７に示すように、一対の棒状部材２１が閉じ状態の時は、くの字に折れ曲がり、図１８に示すように、一対の棒状部材２１が開き状態の時は、水平に伸びるようになっており、一対の棒状部材２１の開閉をスムーズに行えるようになっている。
【００３９】
なお、くの字に折れ曲がるアーム２３の中間にヒモ等を備え付け、備え付けられたヒモを引っ張ることにより、アーム２３が折れ曲がるようにしてもよい。このようにヒモ等で閉じるようにすることで操作時の安全性を高めることができる。また、ヒモとして面ファスナーを使用するようにすれば、図１等に示すように折り畳んだ状態の支持棒１１と脚部２０を結束することができるので、アーム２３を閉じるときのガイドと、折り畳んだ状態の支持棒１１及び脚部２０の結束との、２つの機能を兼ね備えたものとすることができる。
【００４０】
金具３０は、支持棒１１と脚部２０とを回動可能に接続するためのものである。この金具３０は、図６に示すように、支持棒１１を支持する支持棒支持部３１と、脚部２０を支持する脚部支持部３３とを、略Ｌ字形に配置したものである。
【００４１】
支持棒支持部３１は、支持棒１１を挟み込んで保持する一対の狭持片３２と、支持棒１１の下面１１ｂを支持する支持片３８と、を備えている。この支持棒支持部３１は、一対の狭持片３２で支持棒１１を挟み込んだ状態で、一対の狭持片３２と支持棒１１とを貫通するように回動軸３６を取り付けることで、支持棒１１に対して回動可能に取り付けられる。なお、本実施形態に係る回動軸３６は、図６（ｂ）に示すようなボルト部材である。
【００４２】
なお、支持棒支持部３１には、図４等に示すように、ダボ孔３７が貫通形成されている。このダボ孔３７は、使用状態においてダボピン１５に係合させるためのものである。例えば、図１５に示すように、ダボ孔１７を楕円型にしてもよい。これにより、ダボピン１５が確実にダボ孔３７に係合できる。
【００４３】
支持棒支持部３１の支持片３８は、図６（ａ）に示すように、一対の狭持片３２の間に設けられており、使用状態において支持棒１１の下面１１ｂに当接するようになっている。なお、より安定して支持棒１１の下面１１ｂを保持するために、支持片３８に緩衝材を取付けても良い。
【００４４】
脚部支持部３３は、脚部２０を挟み込んで保持する一対の狭持片３４を備えている。この一対の狭持片３４には、脚部２０を構成する一対の棒状部材２１がそれぞれ回動可能に取り付けられる。すなわち、一対の狭持片３４で一対の棒状部材２１を挟み込み、一対の狭持片３４と一方の棒状部材２１とを貫通するように第１支軸２１ａを取り付けるとともに、一対の狭持片３４と他方の棒状部材２１とを貫通するように第２支軸２１ｂを取り付けることで、脚部支持部３３は一対の棒状部材２１を回動可能に支持している。
【００４５】
ところで、左右の金具３０（右金具３０Ａ及び左金具３０Ｂ）は、図１等に示すように、互いに高さが異なっている。具体的には、右金具３０Ａの支持棒支持部３１が、左金具３０Ｂの支持棒支持部３１よりも長く形成されている。このように高さの異なる金具３０によって脚部２０を支持棒１１に接続することで、左右の脚部２０を折り畳んだときに支持棒１１からの高さが互いに相違するようになっている。具体的には、支持棒１１から見たときに、左脚部２０Ｂよりも離れた位置に右脚部２０Ａを収容する。このとき、右金具３０Ａは左金具３０Ｂよりも長い支持棒支持部３１を備えているため、支持棒１１と右脚部２０Ａとの間に隙間が形成され、この隙間に折り畳まれた左脚部２０Ｂが収容される。このように収容されることで、支持棒１１、左脚部２０Ｂ、右脚部２０Ａの順に互いに平行に収容され、折り畳んだ状態が凹凸のない四角形状となり、持ち運びがし易い。また、図４等に示すように、左脚部２０Ｂの先端が右金具３０Ａ内に収納されているため、左脚部２０Ｂの一対の棒状部材２１を閉じ状態で維持することができる。
【００４６】
上記した自転車用携帯駐輪装置１０を折り畳み状態から使用状態へと変形するときには、図７に示すように、左右の金具３０及び脚部２０を支持棒１１に対して約２７０度回転させる。このとき、操作部１５ａを押すことでダボピン１５を凹ませ、ダボピン１５が凹んだ状態で脚部２０を回動させる。金具３０のダボ孔３７にダボピン１５が係合する位置まで回動させたら、操作部１５ａを離してダボピン１５を突出させ、ロックする。このように左右の金具３０及び脚部２０を支持棒１１に対して約２７０度回転させると、左右の金具３０の支持片３８が支持棒１１の下面１１ｂに当接した状態となる。
【００４７】
そして、図９に示すように、一対の棒状部材２１を開き、アーム２３の引掛溝２３ｂを開き用引掛ピン２５に係合させる。その後、必要に応じて、図１０に示すように、支持棒１１を伸ばすことで複数の自転車を駐輪することができる。以上で設置が完了する。
【００４８】
なお、自転車用携帯駐輪装置１０を折り畳む際には、上記の手順を逆から実行すればよい。すなわち、支持棒１１を収縮させ、一対の棒状部材２１を閉じて、アーム２３の引掛溝２３ｂを閉じ用引掛ピン２４に係合させる。そして、操作部１５ａを押すことでダボピン１５を凹ませ（すなわち、ダボピン１５とダボ孔３７との係合を解除して）、左右の金具３０及び脚部２０を支持棒１１に対して折り畳み方向に約２７０度回転させればよい。
【００４９】
なお、図１等に示すように、支持棒１１の側面及び脚部２０の底面には、小口フタを備え付けても良い。また、この小口フタに突起等を設けることで、支持棒１１と脚部２０とを折り畳んだときに、小口フタが両者を緩衝するようにしてもよい。
なお、金具３０の形状は上記した実施形態のものに限らず、種々のものが考えられる。
【００５０】
例えば、図１１に示すように、脚部支持部３３が棒状部材２１の内部に取り付けられるようにしてもよい。この例では、脚部支持部３３が、筒状部３５を備えている。この筒状部３５を棒状部材２１の内部に挿入した状態で、筒状部３５と棒状部材２１とを貫通するように第１支軸２１ａ又は第２支軸２１ｂを取り付けることで、脚部支持部３３が棒状部材２１を回動可能に支持するようになっている。
【００５１】
また、図１２及び図１４に示すように、支持棒支持部３１と脚部支持部３３とを別部材で構成してもよい。別部材を使用すれば、部品点数は多くなるが、加工数を削減することができる。
【００５２】
さらに、図１３に示すように、支持棒支持部３１の一対の狭持片３２と脚部支持部３３とを別部材で構成しても良い。一対の狭持片３２を別部材にすることで、さらに切削等の加工数が削減でき、コストをおさえられる。
金具３０の材料も、強度を優先してスチールを使用したり、軽さを優先してアルミ押出形材を使用したりすることができる。
【００５３】
以上説明したように、本実施形態によれば、左右の脚部２０が支持棒１１に対して水平な状態まで折畳み可能であるため、コンパクトに折り畳むことができる。よって、持ち運びが容易であり、使い勝手が良い。
また、支持棒１１は、長手方向に伸縮可能であるため、自転車の台数に合わせて長さを変更でき、使い勝手が良い。
【００５４】
また、支持棒１１の上面１１ａが断面円弧状に形成されているので、サドル４０が引掛けやすく、しかも落下し難くなっている。また、支持棒１１の対の側面１１ｃと下面１１ｂとが断面角形状に形成されているので、支持棒１１を伸縮可能とした場合でも内棒１４が回転しないようにロックすることができる。また、支持棒１１の断面が両断面の組合せにより円筒状ではないので、子どもが鉄棒等の遊具にして遊ぶ危険性を減少させることができる。
【００５５】
また、伸縮用ダボ孔１７は、伸縮方向に行くに従って径が変化する涙滴形であるため、支持棒１１を伸縮させたときに、涙滴形の伸縮用ダボ孔１７の径の狭い部分から広くなる傾斜部がガイドとなり、伸縮用ダボ１６を穴径の広い位置へ誘導することができる。よって、スムーズに伸縮用ダボ１６を所定の位置へ移動させることができる。また、所定の位置へ移動して伸縮用ダボ孔１７に係合した伸縮用ダボ１６は、伸縮用ダボ孔１７の穴径の狭い方向へは移動できないため、伸縮した支持棒１１のガタツキを抑止することができる。
【００５６】
また、左右の脚部２０が支持棒１１に対して回動可能に接続されているため、脚部２０を回動させるだけで組立てや折畳みが１人でも容易にできるため、使い勝手が良い。
【００５７】
また、左右の脚部２０は、折り畳んだときに支持棒１１からの高さが互いに相違するように、高さの異なる金具３０によって支持棒１１に接続されている。このような構成によれば、脚部２０が互い違いに収納されるため、凹凸のない持ち運びしやすい形状に折り畳むことができる。また、左脚部２０Ｂの先端が右金具３０Ａ内に収納されているため、左脚部２０Ｂの一対の棒状部材２１が、右脚部２０Ａに取り付けられた右金具３０Ａによって開かないように保持される。このような構成によれば、脚部２０を折り畳んだときに、一対の棒状部材２１を閉じ状態で維持することができる。
【００５８】
また、金具３０は、支持棒１１を支持する支持棒支持部３１と、脚部２０を支持する脚部支持部３３とを、略Ｌ字形に配置したものであり、折り畳み状態から使用状態へと変形するときに支持棒１１に対して約２７０度回転する。このような構成によれば、シンプルかつ少ない部品点数で変形構造を実現することができる。
【００５９】
また、一対の棒状部材２１を閉じ状態に維持可能、かつ、一対の棒状部材２１を開いた状態に維持可能な開き防止機構２２を備える。このような構成によれば、折り畳み状態では、運搬時に開かないようにロックできるので、取扱いが容易であり、安全に使用することができる。また、使用状態では、開き過ぎが防止されるので、自転車を安定して支持することができる。
【００６０】
また、一対の棒状部材２１の間には、棒状部材２１を開いた状態に維持するための止めピン２１ｃが固定されているため、一対の棒状部材２１と金具３０に対する真上又は斜め方向からの荷重に、より耐えることができる。
【符号の説明】
【００６１】
１０  自転車用携帯駐輪装置
１１  支持棒
１１ａ  上面
１１ｂ  下面
１１ｃ  側面
１２  右外棒
１３  左外棒
１４  内棒
１４ａ  上面小円突起
１４ｂ  下面小円突起
１４ｃ  側面小円突起
１５  ダボピン
１５ａ  操作部
１６  伸縮用ダボ
１７  伸縮用ダボ孔
２０  脚部
２０Ａ  右脚部
２０Ｂ  左脚部
２１  棒状部材
２１ａ  第１支軸
２１ｂ  第２支軸
２１ｃ  止めピン
２２  開き防止機構
２３  アーム
２３ａ  回転軸
２３ｂ  引掛溝
２４  閉じ用引掛ピン
２５  開き用引掛ピン
３０  金具
３０Ａ  右金具
３０Ｂ  左金具
３１  支持棒支持部
３２  狭持片
３３  脚部支持部
３４  狭持片
３５  筒状部
３６  回動軸
３７  ダボ孔
３８  支持片
４０  サドル
【図１】
0003210378.tif 000003
【図２】
0003210378.tif 000004
【図３】
0003210378.tif 000005
【図４】
0003210378.tif 000006
【図５】
0003210378.tif 000007
【図６】
0003210378.tif 000008
【図７】
0003210378.tif 000009
【図８】
0003210378.tif 000010
【図９】
0003210378.tif 000011
【図１０】
0003210378.tif 000012
【図１１】
0003210378.tif 000013
【図１２】
0003210378.tif 000014
【図１３】
0003210378.tif 000015
【図１４】
0003210378.tif 000016
【図１５】
0003210378.tif 000017
【図１６】
0003210378.tif 000018
【図１７】
0003210378.tif 000019
【図１８】
0003210378.tif 000020